(57)【要約】  送液装置（１００）は、液体を貯蔵する液体貯蔵部（１０１）と、液体貯蔵部（１０１）に貯蔵される液体を輸送するポンプ（１０４）と、液体貯蔵部（１０１）及びポンプ（１０４）を連結する連結管（１０７）と、を備える。液体貯蔵部（１０１）は、液体を貯蔵する容器（１１０）と、液体を含浸する含浸体（１１２）と、を備える。容器（１１０）には、容器（１１０）に貯蔵された液体の流出孔（１１１Ａ）が設けられている。含浸体（１１２）の第１の端部（１１２Ａ）は、流出孔（１１１Ａ）に嵌入されている。そして、含浸体（１１２）は、貯蔵室（１１３）において流出孔（１１１Ａ）から側板（１１０Ｂ）及び底板（１１０Ｃ）まで延びて設けられている。
2014132712.tif 000002
【特許請求の範囲】
【請求項１】
孔が設けられた第１壁部と、前記第１壁部に接続し、前記第１壁部とともに貯蔵室を形成する第２壁部とを有し、前記貯蔵室に液体が貯蔵される容器と、
前記貯蔵室において前記孔から少なくとも前記第２壁部まで延びて設けられ、前記液体を含浸する含浸体と、を備える、液体貯蔵部。
【請求項２】
前記第１壁部は、前記容器内に１つの壁面を構成し、
前記第２壁部は、前記容器内に少なくとも１つの壁面を構成し、
前記含浸体は少なくとも、前記第１、第２壁部で構成される複数の壁面のうち前記孔からの距離が最も遠い壁面に接する、請求項１に記載の液体貯蔵部。
【請求項３】
前記第２壁部は、前記孔に対向する前記最も遠い壁面と、前記第１壁部によって構成される前記壁面と前記最も遠い壁面とを接続する側壁面と、を構成し、
前記含浸体は、前記第１壁部によって構成される前記壁面から延び、前記最も遠い壁面に接する、請求項２に記載の液体貯蔵部。
【請求項４】
前記貯蔵室は、多面体状であり、
前記含浸体は、前記容器内の全ての隅に接する、請求項２又は３に記載の液体貯蔵部。
【請求項５】
前記含浸体は、前記第１壁部によって構成される前記壁面の周縁と、前記最も遠い壁面の周縁とに接し、前記壁面の周縁と前記最も遠い壁面の周縁とを繋ぐ部分を有する、請求項２から４のいずれか１項に記載の液体貯蔵部。
【請求項６】
前記含浸体は、前記第１壁部の少なくとも一部と、前記第２壁部の少なくとも一部とに沿って設けられている、請求項１から５のいずれか１項に記載の液体貯蔵部。
【請求項７】
前記第１、第２壁部は、曲面状の壁面を構成し、
前記含浸体は、前記曲面状の壁面において、前記容器の内部から見て外側に膨らむ壁面の全てに接する、請求項１、２に記載の液体貯蔵部。
【請求項８】
前記容器は、前記液体の通過を阻止し、気体を通過させるフィルタを有する、請求項１から６のいずれか１項に記載の液体貯蔵部。
【請求項９】
請求項１から８のいずれか１項に記載の液体貯蔵部と、
前記液体貯蔵部の前記孔に接続され、前記液体貯蔵部に貯蔵されている前記液体を送液するポンプと、を備える送液装置。
【請求項１０】
前記ポンプは、前記孔から流出した前記液体が流入するポンプ室と、前記ポンプ室に面するダイヤフラムと、前記ダイヤフラムの一方の主面に設けられ、前記ダイヤフラムを屈曲振動させる駆動体と、を有するダイヤフラムポンプである、請求項９に記載の送液装置。
【発明の詳細な説明】
【技術分野】
【０００１】
本発明は、液体を貯蔵する液体貯蔵部と、当該液体貯蔵部に貯蔵されている液体をポンプの動作により送液する送液装置とに関するものである。
【背景技術】
【０００２】
特許文献１において、コンテナーに貯蔵されている液体を液体消費部に供給する供給装置が送液装置として開示されている。【０００３】
図１１は、特許文献１に係る供給装置１の外観図である。供給装置１は、栄養剤などの液体を貯蔵するコンテナー２と、このコンテナー２を吊り下げる吊下げ装置３と、コンテナー２に貯蔵されている液体を患者に供給する管装置４とを備えている。【０００４】
吊下げ装置３は、フック１３に装着され、コンテナー２を保持している。コンテナー２は、水平面に対して所定の角度をなすよう吊下げ装置３に吊り下げられている。【０００５】
管装置４は、コンテナー２内に挿入されている突き通し管１７と、突き通し管１７に接続される導管１９と、導管１９に接続される滴下室２１と、滴下室２１に接続される導管２５と、導管２５に接続される管締付装置３０と、管締付装置３０及び患者に接続される導管３３とを有する。滴下室２１は、ポンプの働きをし、導管１９から流出して滴下室２１内で滴下した液体を所定量、一時的に貯蔵する。管締付装置３０は、導管２５から導管３３へ繋がる流路３１を有し、この流路３１を閉鎖または開放する。【０００６】
供給装置１では管締付装置３０の流路３１が開放されると、コンテナー２内の液体が少しずつ突き通し管１７から吸い出され、導管１９を介して滴下室２１に流入する。そして、滴下室２１内において滴下した液体が、導管２５、管締付装置３０の流路３１、及び導管３３を介して患者へ送液される。【０００７】
一般的に、コンテナー２内に液体を貯蔵するときなどに、コンテナー２内に気体（例えば空気）が流入してしまう。【０００８】
供給装置１では、突き通し管１７の先端１８が最下点となるコンテナー２の隅部６に設けられている。よって、供給装置１では、コンテナー２内の液体の残量が少なくなった場合でも、突き通し管１７の先端１８が接液するため、コンテナー２内から液体だけが突き通し管１７から導管１９へ流出する。すなわち、供給装置１は、コンテナー２内の気体が管装置４を介して患者へ送液されることを抑制できる。
【先行技術文献】
【特許文献】
【０００９】
【特許文献１】特開昭６２−２３６５５７号公報
【発明の概要】
【発明が解決しようとする課題】
【００１０】
しかしながら、前記供給装置１では、例えば衝撃がコンテナー２に加わると、コンテナー２の姿勢が変化し、コンテナー２に対する突き通し管１７の先端１８の位置が最下点以外の位置へ変化する場合がある。このような場合において、コンテナー２内の液体の残量が少ないと、突き通し管１７の先端１８が接液されなくなるおそれがある。【００１１】
したがって、前記供給装置１では、コンテナー２の姿勢が変化し、コンテナー２に対する突き通し管１７の先端１８の位置が最下点以外の位置へ変化した場合、コンテナー２内の気体が先端１８から突き通し管１７内へ流入し、導管１９（液体貯蔵部の下流側）へ流出するという問題がある。【００１２】
そこで本発明では、液体貯蔵部の姿勢が変化した場合でも、液体貯蔵部内の気体が液体貯蔵部の下流側へ流出することを従来よりも抑制できる液体貯蔵部および送液装置を提供することを目的とする。
【課題を解決するための手段】
【００１３】
本発明の液体貯蔵部は、前記課題を解決するために以下の構成を備えている。【００１４】
（１）孔が設けられた第１壁部と、前記第１壁部に接続し、前記第１壁部とともに貯蔵室を形成する第２壁部とを有し、前記貯蔵室に液体が貯蔵される容器と、
前記貯蔵室において前記孔から少なくとも前記第２壁部まで延びて設けられ、前記液体を含浸する含浸体と、を備える。【００１５】
この構成では、貯蔵室に貯蔵されている液体が含浸体の毛細管現象により、含浸体に含浸され、孔へ吸い上げられる。液体貯蔵部の孔は、例えば、直接又はポンプを介して液体消費部に接続される。【００１６】
ここで、含浸体が孔から第２壁部まで延びて設けられている。そのため、液体貯蔵部が回転するなど液体貯蔵部の姿勢が変化した場合でも、貯蔵室内の第１壁部の孔付近、又は第２壁部付近の液体が含浸体に触れる。よって、この構成では、貯蔵室内の液体が、含浸体の毛細管現象により含浸体に含浸され、気体よりも優先的に孔へ吸い上げられる。ここで、図１１に示した突き通し管１７は液体を先端１８からしか吸い上げることができないが、含浸体は、含侵体の表面全体から液体を吸い上げることができる。【００１７】
したがって、この構成の液体貯蔵部は、液体貯蔵部の姿勢が変化した場合でも、液体貯蔵部内の気体が液体貯蔵部の下流側へ流出することを従来よりも抑制できる。【００１８】
なお、この構成は、容器内部の液体の残量が少ない場合に、特に有効である。【００１９】
（２）前記第１壁部は、前記容器内に１つの壁面を構成し、
前記第２壁部は、前記容器内に少なくとも１つの壁面を構成し、
前記含浸体は少なくとも、前記第１、第２壁部で構成される複数の壁面のうち前記孔からの距離が最も遠い壁面に接することが好ましい。【００２０】
この構成において、複数の壁面は、貯蔵室に面する、容器の内面である。そして、第１壁部の壁面と第２壁部の壁面とは所定の角度（例えば９０度）を成す。【００２１】
この構成では、液体貯蔵部の姿勢が変化した場合でも、貯蔵室内の前記最も遠い壁面付近の液体が含浸体に触れる。そのため、この構成では、貯蔵室内の前記最も遠い壁面付近の液体も含浸体の毛細管現象により、含浸体に含浸され、気体よりも優先的に孔へ吸い上げられる。すなわち、液体貯蔵部内の気体が液体貯蔵部の下流側へ流出することを従来よりも抑制できる。【００２２】
（３）前記第２壁部は、前記孔に対向する前記最も遠い壁面と、前記第１壁部によって構成される前記壁面と前記最も遠い壁面とを接続する側壁面と、を構成し、
前記含浸体は、前記第１壁部によって構成される前記壁面から延び、前記最も遠い壁面に接することが好ましい。【００２３】
この構成では、液体貯蔵部の姿勢が変化した場合でも、第１壁部によって構成される壁面付近、又は第２壁部によって構成される最も遠い壁面付近、の少なくとも一方の液体が含浸体に触れる。【００２４】
そのため、この構成では、液体貯蔵部の姿勢が変化した場合でも、第１壁部によって構成される壁面付近、又は第２壁部によって構成される最も遠い壁面付近、の少なくとも一方の液体が含浸体の毛細管現象により、含浸体に含浸され、気体よりも優先的に孔へ吸い上げられる。すなわち、液体貯蔵部内の気体が液体貯蔵部の下流側へ流出することを従来よりも抑制できる。【００２５】
（４）前記貯蔵室は、多面体状であり、
前記含浸体は、前記容器内の全ての隅に接することが好ましい。【００２６】
この構成において含浸体は、孔からの距離が最も遠い壁面の隅に接している。この構成では、液体貯蔵部の姿勢が変化した場合でも、容器内の少なくとも１つの隅付近の液体が含浸体に触れる。そのため、この構成では、容器内の少なくとも１つの隅付近の液体が含浸体の毛細管現象により、含浸体に含浸され、気体よりも優先的に孔へ吸い上げられる。すなわち、液体貯蔵部内の気体が液体貯蔵部の下流側へ流出することを従来よりも抑制できる。【００２７】
なお、隅は、少なくとも３面で構成される。【００２８】
（５）前記含浸体は、前記第１壁部によって構成される前記壁面の周縁と、前記最も遠い壁面の周縁とに接し、前記壁面の周縁と前記最も遠い壁面の周縁とを繋ぐ部分を有することが好ましい。【００２９】
この構成では、液体貯蔵部の姿勢が変化した場合でも、第１壁部によって構成される壁面の周縁付近、又は第２壁部によって構成される最も遠い壁面の周縁付近、の少なくとも一方の液体が含浸体に触れる。【００３０】
そのため、この構成では、液体貯蔵部の姿勢が変化した場合でも、第１壁部によって構成される壁面の周縁付近、又は第２壁部によって構成される最も遠い壁面の周縁付近、の少なくとも一方の液体が含浸体の毛細管現象により、含浸体に含浸され、気体よりも優先的に孔へ吸い上げられる。すなわち、液体貯蔵部内の気体が液体貯蔵部の下流側へ流出することを従来よりも抑制できる。【００３１】
（６）前記含浸体は、前記第１壁部の少なくとも一部と、前記第２壁部の少なくとも一部とに沿って設けられていることが好ましい。【００３２】
この構成では、液体貯蔵部の姿勢が変化した場合でも、第１壁部の少なくとも一部付近、又は第２壁部の少なくとも一部付近の液体が含浸体に触れる。【００３３】
そのため、この構成では、液体貯蔵部の姿勢が変化した場合でも、第１壁部の少なくとも一部付近、又は第２壁部の少なくとも一部付近の液体が含浸体の毛細管現象により、含浸体に含浸され、気体よりも優先的に孔へ吸い上げられる。すなわち、液体貯蔵部内の気体が液体貯蔵部の下流側へ流出することを従来よりも抑制できる。【００３４】
（７）前記第１、第２壁部は、曲面状の壁面を構成し、
前記含浸体は、前記曲面状の壁面において、前記容器の内部から見て外側に膨らむ壁面の全てに接することが好ましい。【００３５】
この構成では、液体貯蔵部の姿勢が変化した場合でも、貯蔵室内の前記曲面状の壁面付近の液体が含浸体に触れる。そのため、この構成では、貯蔵室内の前記曲面状の壁面付近の液体も含浸体の毛細管現象により、含浸体に含浸され、気体よりも優先的に孔へ吸い上げられる。すなわち、液体貯蔵部内の気体が液体貯蔵部の下流側へ流出することを従来よりも抑制できる。【００３６】
（８）前記容器は、前記液体の通過を阻止し、気体を通過させるフィルタを有することが好ましい。【００３７】
この構成では、例えば液体貯蔵部の孔がポンプに接続され、該ポンプの駆動により容器内部の液体が孔から吸い出される。この構成では、貯蔵室の圧力の低下により、容器の外部の気体がフィルタを介して貯蔵室へ流入する。【００３８】
したがって、この構成は、貯蔵室の圧力が容器の外部の気圧より低くなることを防止できる。そのため、この構成は例えば、ポンプの駆動により貯蔵室の圧力が負圧となり、貯蔵室の圧力が容器の外部の気圧より低くなりすぎることによって、ポンプによる送液が意図せず停止することを防止できる。【００３９】
また、本発明の送液装置は、前記課題を解決するために以下の構成を備えている。【００４０】
（９）前記（１）から前記（８）のいずれか１つに記載の液体貯蔵部と、
前記液体貯蔵部の前記孔に接続され、前記液体貯蔵部に貯蔵されている前記液体を送液するポンプと、を備える。【００４１】
この構成において送液装置は、前記（１）から前記（７）のいずれか１つの液体貯蔵部に貯蔵されている液体をポンプの動作により送液する。この構成により、当該液体貯蔵部を備える送液装置にも同様の効果を奏する。【００４２】
（１０）前記ポンプは、前記孔から流出した前記液体が流入するポンプ室と、前記ポンプ室に面するダイヤフラムと、前記ダイヤフラムの一方の主面に設けられ、前記ダイヤフラムを屈曲振動させる駆動体と、を有するダイヤフラムポンプであることが好ましい。【００４３】
この構成においてダイヤフラムポンプは、ダイヤフラムの屈曲振動により動作を行う。ダイヤフラムポンプではポンプ室における液体中の気泡量の増加に伴って吐出圧力が低下するが、前記（１）の構成は、液体貯蔵部内の気体が、液体貯蔵部の下流にあるポンプ室へ流出することを従来よりも抑制できる。そのため、前記（１）の構成は、ダイヤフラムポンプに好適である。
【発明の効果】
【００４４】
この発明によれば、液体貯蔵部の姿勢が変化した場合でも、液体貯蔵部内の気体が液体貯蔵部の下流側へ流出することを従来よりも抑制できる。
【図面の簡単な説明】
【００４５】
【図１】本発明の第１実施形態に係る送液装置１００の主要部の断面図である。
【図２】図１に示す液体貯蔵部１０１の外観図である。
【図３】図１に示す含浸体１１２の外観図である。
【図４】図１に示す送液装置１００が送液を行っているときの送液装置１００の主要部の断面図である。
【図５】図１に示す液体貯蔵部１０１の姿勢が変化した状態の液体貯蔵部１０１の断面図である。
【図６】図１に示す液体貯蔵部１０１の姿勢が変化した状態の液体貯蔵部１０１の断面図である。
【図７】本発明の第２実施形態に係る送液装置に備えられる液体貯蔵部２０１の主要部の外観図である。
【図８】図７に示す液体貯蔵部２０１の変形例である液体貯蔵部２５１の主要部の断面図である。
【図９】本発明の第３実施形態に係る送液装置に備えられる液体貯蔵部３０１の主要部の外観図である。
【図１０】本発明の第４実施形態に係る送液装置に備えられる液体貯蔵部４０１の主要部の外観図である。
【図１１】特許文献１に係る供給装置１の外観図である。
【発明を実施するための形態】
【００４６】
《第１実施形態》
以下、本発明の第１実施形態に係る送液装置１００について説明する。
【００４７】
図１は、本発明の第１実施形態に係る送液装置１００の主要部の断面図である。図２は、図１に示す液体貯蔵部１０１の外観図である。図３は、図１に示す含浸体１１２の外観図である。
【００４８】
送液装置１００は、液体を貯蔵する液体貯蔵部１０１と、液体貯蔵部１０１に貯蔵される液体を輸送するポンプ１０４と、液体貯蔵部１０１及びポンプ１０４を連結する連結管１０７と、を備える。送液装置１００は例えば、病院等の医療現場で使用される。
【００４９】
液体貯蔵部１０１は、液体を内部に貯蔵する容器１１０と、液体を含浸する含浸体１１２と、を備える。液体は、例えばブドウ糖輸液等であり、医療現場で液体貯蔵部１０１に入れられる。
【００５０】
容器１１０は例えば、ポリオレフィン系樹脂、ＰＥＴ樹脂、ＰＣ樹脂、ガラスからなる。容器１１０は、直方体状であり、１枚の上板１１０Ａと４枚の側板１１０Ｂと１枚の底板１１０Ｃとによって構成されている。上板１１０Ａには、容器１１０に貯蔵された液体の流出孔１１１Ａが設けられており、側板１１０Ｂ及び底板１１０Ｃには、流出孔１１１Ａが設けられていない。
【００５１】
すなわち、上板１１０Ａが、本発明の「第１壁部」に相当し、側板１１０Ｂ及び底板１１０Ｃが、本発明の「第２壁部」に相当する。
【００５２】
また、容器１１０は、１枚の上板１１０Ａと４枚の側板１１０Ｂと１枚の底板１１０Ｃとによって、容器１１０の内部空間である貯蔵室１１３を構成している。そして、容器１１０は、１枚の上板１１０Ａと４枚の側板１１０Ｂと１枚の底板１１０Ｃとによって、貯蔵室１１３に面する６つの内壁面を構成している。底板１１０Ｃの内壁面１１０Ｄは、流出孔１１１Ａに対向している。また、上板１１０Ａの内壁面１１０Ｅと側板１１０Ｂの内壁面１１０Ｆとは９０度を成している。
【００５３】
なお、詳細を後述するが、底板１１０Ｃには、フィルタ１１１Ｂが設けられている。このフィルタ１１１Ｂは、液体の通過を阻止し、気体を通過させる。
【００５４】
含浸体１１２は例えば、給水棒、不織布、ポリエステルやポリオレフィン系の合成繊維、木綿や絹などの天然繊維からなる。含浸体１１２は、これらの材料をＵ字状に形成したものである。
【００５５】
含浸体１１２の第１の端部１１２Ａは、容器１１０の流出孔１１１Ａに嵌入されている。そして、含浸体１１２は、貯蔵室１１３において流出孔１１１Ａから側板１１０Ｂ及び底板１１０Ｃまで延びて設けられている。詳述すると、含浸体１１２は、上板１１０Ａの内壁面１１０Eと側板１１０Ｂの内壁面１１０Fとに沿って延びている。そして、含浸体１１２の第２の端部１１２Ｂは、前記６つの内壁面のうち、流出孔１１１Ａから距離が最も遠い内壁面１１０Ｄに接している。含浸体１１２は、前記６つの内壁面の全てに接している。
【００５６】
連結管１０７は、例えば円筒状である。連結管１０７は、液体貯蔵部１０１とポンプ１０４とを連結し、液体貯蔵部１０１の流出孔１１１Ａと、後述するポンプ１０４の吸引孔１４１とを連通させる。
【００５７】
ポンプ１０４は、ポンプ筐体１４９と、ポンプ筐体１４９とともにポンプ室１４８を構成しポンプ室１４８に面するダイヤフラム１４５と、ダイヤフラム１４５のポンプ室１４８とは逆側の主面に設けられ、交流の駆動電圧の印加によって伸縮する圧電素子１４６と、を有する。交流の駆動電圧が印加されると、圧電素子１４６の伸縮によりダイヤフラム１４５が屈曲振動する。これにより、ポンプ１０４は動作を行う。
【００５８】
ポンプ筐体１４９には、液体貯蔵部１０１内の液体が連結管１０７を介してポンプ室１４８へ吸引される吸引孔１４１と、ポンプ室１４８から液体が吐出される吐出孔１４２と、が設けられている。
【００５９】
ポンプ１０４は、さらに、ポンプ室１４８側から吸引孔１４１側への液体の逆流を防ぐ第１逆止弁１４３と、吐出孔１４２側からポンプ室１４８側への液体の逆流を防ぐ第２逆止弁１４４と、を有する。ポンプ室１４８は、ポンプ筐体１４９及びダイヤフラム１４５によって構成され、第１、２逆止弁１４３、１４４間に挟まれた密閉空間である。ポンプ１０４は、所謂ダイヤフラムポンプであり、ポンプ室１４８における液体Ｍ中の気泡量の増加に伴って吐出圧力が低下する。
【００６０】
次に、送液装置１００によって液体を送液する場面について説明する。
【００６１】
図４は、図１に示す送液装置１００が送液を行っているとき送液装置１００の断面図である。図中の矢印は液体Ｍの流れる方向を示している。図５、図６は、図１に示す液体貯蔵部１０１の姿勢が変化した状態の液体貯蔵部１０１の断面図である。
【００６２】
送液装置１００は医療現場へ提供され、看護師等の医療従事者は、液体Ｍを例えば容器１１０に別途設けられた注薬液充填ポートを介して容器１１０内に入れる。液体Ｍは、例えばブドウ糖輸液等である。そして、医療従事者は、ポンプ１０４を駆動し、送液装置１００の流路内の空気を吐出孔１４２から排出する。送液装置１００の流路内の空気を排出した後、医療従事者は、ポンプ１０４の吐出孔１４２をチューブ１０８を介して液体消費部１０９に接続する。
【００６３】
液体貯蔵部１０１において、貯蔵室１１３内の液体Ｍは、含浸体１１２の毛細管現象により、含浸体１１２に含浸され、流出孔１１１Ａへ吸い上げられる。そして、ポンプ１０４が動作を行っている間、流出孔１１１Ａへ吸い上げられた液体Ｍは、連結管１０７及びポンプ１０４を介して液体消費部１０９に供給される。
【００６４】
ここで、送液装置１００において、含浸体１１２は、流出孔１１１Ａから上板１１０Ａを介して側板１１０Ｂ及び底板１１０Ｃまで延びて設けられている。詳述すると、含浸体１１２は、上板１１０Ａの内壁面１１０Ｅと側板１１０Ｂの内壁面１１０Fとに沿って延び、流出孔１１１Ａからの距離が最も遠い底板１１０Ｃの内壁面１１０Ｄに接している。
【００６５】
そのため、液体貯蔵部１０１が回転するなど液体貯蔵部１０１の姿勢が例えば図５、図６に示すように変化した場合でも、上板１１０Ａ、側板１１０Ｂ及び底板１１０Ｃの少なくとも１つの板の内壁面付近の液体Ｍが含浸体１１２に触れる。
【００６６】
よって、液体貯蔵部１０１では、液体貯蔵部１０１の姿勢が変化した場合でも、上板１１０Ａ、側板１１０Ｂ及び底板１１０Ｃの少なくとも１つの板の内壁面付近の液体Ｍが含浸体１１２の毛細管現象により、含浸体１１２に含浸され、気体よりも優先的に流出孔１１１Ａへ吸い上げられる。ここで、図１１に示した突き通し管１７は液体を先端１８からしか吸い上げることができないが、含浸体１１２は含浸体１１２の表面全体から液体Ｍを吸い上げることができる。
【００６７】
従って、液体貯蔵部１０１によれば、液体貯蔵部１０１の姿勢が変化した場合でも、貯蔵室１１３内の気体が液体貯蔵部１０１の下流側へ流出することを従来よりも抑制できる。そのため、この液体貯蔵部１０１の構成は、ポンプ室１４８における液体Ｍ中の気泡量の増加に伴って吐出圧力が低下するポンプ１０４に好適である。また、液体貯蔵部１０１は、貯蔵室１１３内の気体がチューブ１０８を介して液体消費部１０９へ送液されることを従来よりも抑制できる。
【００６８】
そして、液体貯蔵部１０１を備える送液装置１００も同様の効果を奏する。そのため、前記供給装置１はコンテナー２の姿勢が変化しないようコンテナー２の姿勢を固定する必要があるが（図１１参照）、送液装置１００は液体貯蔵部１０１の姿勢を固定する必要が無い。したがって、送液装置１００の使用者は、送液装置１００を携帯した状態で、液体貯蔵部１０１の姿勢を気にすることなく自由に行動することができる。
【００６９】
ここで、貯蔵室１１３の液体Ｍがポンプ１０４の動作により流出孔１１１Ａから流出すると、貯蔵室１１３の圧力が低下する。例えば容器１１０が硬質の材料からなる場合、貯蔵室１１３の圧力の低下とともに容器１１０が貯蔵室１１３側へ収縮変形せず、貯蔵室１１３の圧力は、容器１１０の外部の大気圧より低くなる。
【００７０】
そこで、この送液装置１００では容器１１０が、液体Ｍの通過を阻止し、気体を通過させるフィルタ１１１Ｂを有している。そのため、貯蔵室１１３の圧力の低下により、容器１１０の外部の気体がフィルタ１１１Ｂを介して貯蔵室１１３へ流入する。
【００７１】
したがって、この送液装置１００は、貯蔵室１１３の圧力が容器１１０の外部の大気圧より低くなることを防止できる。そのため、この送液装置１００は、ポンプ１０４の駆動により貯蔵室１１３の圧力が負圧となり、容器１１０内部の圧力が大気圧より低くなりすぎることによって、ポンプ１０４による送液が意図せず停止することを防止できる。
【００７２】
《第２実施形態》
以下、本発明の第２実施形態に係る送液装置について説明する。
【００７３】
図７は、本発明の第２実施形態に係る送液装置に備えられる液体貯蔵部２０１の主要部の外観図である。第２実施形態に係る送液装置が前記第１実施形態に係る送液装置１００と相違する点は、液体貯蔵部２０１に備えられる含浸体２１２である。その他の構成については同じであるため、説明を省略する。
【００７４】
含浸体２１２は、前記液体貯蔵部１０１の含浸体１１２と異なる形状を有している。その他の構成については同じであるため、説明を省略する。
【００７５】
詳述すると、含浸体２１２は、第１の端部１１２Ａと、４つの第２の端部２１２Ｂと、４つの第３の端部２１２Ｃとを有している。含浸体２１２の第１の端部１１２Ａは、流出孔１１１Ａに嵌入されている。
【００７６】
そして、含浸体２１２は、貯蔵室１１３において流出孔１１１Ａから側板１１０Ｂ及び底板１１０Ｃまで延びて設けられている。含浸体２１２の第２の端部２１２Ｂ及び第３の端部２１２Ｃは、直方体状の容器１１０の８つの隅に接している。そのため、含浸体２１２の第２の端部２１２Ｂは、前記６つの内壁面のうち、流出孔１１１Ａからの距離が最も遠い底板１１０Ｃの内壁面１１０Ｄの隅に接している。
【００７７】
液体貯蔵部２０１においても、貯蔵室１１３内の液体Ｍは、含浸体２１２の毛細管現象により、含浸体２１２に含浸され、流出孔１１１Ａへ吸い上げられる。そして、ポンプ１０４が動作を行っている間、流出孔１１１Ａへ吸い上げられた液体Ｍは、連結管１０７及びポンプ１０４を介して液体消費部１０９に供給される（図４参照）。
【００７８】
ここで、含浸体２１２は、流出孔１１１Ａから側板１１０Ｂ及び底板１１０Ｃまで延びて設けられている。含浸体２１２の第２の端部２１２Ｂ及び第３の端部２１２Ｃは、直方体状の容器１１０の全ての隅に接している。
【００７９】
そのため、液体貯蔵部２０１の姿勢が変化した場合でも、直方体状の容器１１０の少なくとも１つの隅付近の液体Ｍが含浸体２１２に触れる。
【００８０】
よって、液体貯蔵部２０１では、液体貯蔵部２０１の姿勢が変化した場合でも、直方体状の容器１１０の少なくとも１つの隅付近の液体Ｍが含浸体２１２の毛細管現象により、含浸体２１２に含浸され、気体よりも優先的に流出孔１１１Ａへ吸い上げられる。ここで、含浸体２１２も、含浸体１１２と同様に、含浸体２１２の表面全体から液体Ｍを吸い上げることができる。
【００８１】
従って、第２実施形態の液体貯蔵部２０１によれば、第１実施形態の液体貯蔵部１０１と同様の効果を奏する。また、液体貯蔵部２０１を備える第２実施形態の送液装置も、第１実施形態の送液装置１００と同様の効果を奏する。
【００８２】
また、図７に示す容器１１０の底板１１０Ｃの代わりに底板２１０Ｃを有する容器２１０を図８に示す。例えば図８の断面において、底板２１０Ｃの先端２１０Ｅは、容器の内部２１０から見た角が優角（１８０＜θ＜３６０）である。このため、底板２１０Ｃの先端２１０Ｅ付近の液体Ｍは、底板２１０Ｃの内壁面２１０Ｄの隅へ向かって流れる。そのため、容器２１０を用いる場合、含浸体２１２は、先端２１０Ｅ付近に接していなくてもよい。
【００８３】
《第３実施形態》
以下、本発明の第３実施形態に係る送液装置について説明する。
【００８４】
図９は、本発明の第３実施形態に係る送液装置に備えられる液体貯蔵部３０１の主要部の外観図である。第３実施形態に係る送液装置が前記第１実施形態に係る送液装置１００と相違する点は、液体貯蔵部３０１に備えられる容器３１０及び含浸体３１２である。その他の構成については同じであるため、説明を省略する。
【００８５】
詳述すると、容器３１０は、楕円柱状であり、上板３１０Ａと側板３１０Ｂと底板３１０Ｃとによって構成されている。上板３１０Ａには、容器３１０に貯蔵された液体Ｍの流出孔１１１Ａが設けられており、側板３１０Ｂ及び底板３１０Ｃには、流出孔１１１Ａが設けられていない。
【００８６】
すなわち、上板３１０Ａが、本発明の「第１壁部」に相当し、側板３１０Ｂ及び底板３１０Ｃが、本発明の「第２壁部」に相当する。
【００８７】
また、容器３１０は、上板３１０Ａと側板３１０Ｂと底板３１０Ｃとによって、容器３１０の内部空間である貯蔵室３１３を構成している。そして、容器３１０は、上板３１０Ａと側板３１０Ｂと底板３１０Ｃとによって、貯蔵室３１３に面する３つの内壁面を構成している。底板３１０Ｃの内壁面３１０Ｄは、流出孔１１１Ａに対向している。また、上板３１０Ａの内壁面と側板３１０Ｂの内壁面とは９０度を成している。
【００８８】
また、含浸体３１２は、前記液体貯蔵部１０１の含浸体１１２と異なる形状を有している。その他の含浸体３１２の構成については含浸体１１２と同じであるため、説明を省略する。
【００８９】
詳述すると、含浸体３１２は、第１の端部１１２Ａと、環状の底板部３１２Ｂと、第１の端部１１２Ａに接続する上板部３１２Ｃと、底板部３１２Ｂ及び上板部３１２Ｃを接続する柱部３１２Ｄと、を有している。含浸体３１２の第１の端部１１２Ａは、流出孔１１１Ａに嵌入されている。
【００９０】
そして、含浸体３１２は、貯蔵室３１３において流出孔１１１Ａから側板３１０Ｂ及び底板３１０Ｃまで延びて設けられている。含浸体３１２の底板部３１２Ｂは、前記３つの内壁面のうち、流出孔１１１Ａからの距離が最も遠い底板３１０Ｃの内壁面３１０Ｄの周縁に接している。
【００９１】
液体貯蔵部３０１においても、貯蔵室３１３内の液体Ｍは、含浸体３１２の毛細管現象により、含浸体３１２に含浸され、流出孔１１１Ａへ吸い上げられる。そして、ポンプ１０４が動作を行っている間、流出孔１１１Ａへ吸い上げられた液体Ｍは、連結管１０７及びポンプ１０４を介して液体消費部１０９に供給される（図４参照）。
【００９２】
ここで、含浸体３１２は、流出孔１１１Ａから上板３１０Ａを介して側板３１０Ｂ及び底板３１０Ｃまで延びて設けられている。詳述すると、含浸体３１２の上板部３１２Ｃは、前記３つの内壁面のうち、上板３１０Ａの内壁面の周縁に接している。含浸体３１２は、側板３１０Ｂの内壁面に沿って延びている。そして、含浸体３１２の底板部３１２Ｂは、前記３つの内壁面のうち、流出孔１１１Ａからの距離が最も遠い底板３１０Ｃの内壁面３１０Ｄの周縁に接している。
【００９３】
そのため、液体貯蔵部３０１の姿勢が変化した場合でも、貯蔵室３１３内の上板３１０Ａの内壁面の周縁付近、または底板３１０Ｃの内壁面３１０Ｄの周縁付近、の少なくとも一方の液体Ｍが含浸体３１２に触れる。
【００９４】
よって、液体貯蔵部３０１では、液体貯蔵部３０１の姿勢が変化した場合でも、貯蔵室３１３内の上板３１０Ａの内壁面の周縁付近、または底板３１０Ｃの内壁面３１０Ｄの周縁付近、の少なくとも一方の液体Ｍが含浸体３１２の毛細管現象により、含浸体３１２に含浸され、気体よりも優先的に流出孔１１１Ａへ吸い上げられる。ここで、含浸体３１２も、含浸体１１２と同様に、含浸体３１２の表面全体から液体Ｍを吸い上げることができる。
【００９５】
従って、第３実施形態の液体貯蔵部３０１によれば、第１実施形態の液体貯蔵部１０１と同様の効果を奏する。また、液体貯蔵部３０１を備える第３実施形態の送液装置も、第１実施形態の送液装置１００と同様の効果を奏する。
【００９６】
なお、図９では、含侵体３１２は２つの柱部３１２Ｄを有するが、底板部３１２Ｂと上板部３１２Ｃとを接続するものであれば、柱部３１２Ｄは１つでも構わない。
【００９７】
《第４実施形態》
以下、本発明の第４実施形態に係る送液装置について説明する。
【００９８】
図１０は、本発明の第４実施形態に係る送液装置に備えられる液体貯蔵部４０１の主要部の断面図である。第４実施形態に係る送液装置が前記第１実施形態に係る送液装置１００と相違する点は、液体貯蔵部４０１に備えられる容器４１０及び含浸体４１２である。その他の構成については同じであるため、説明を省略する。
【００９９】
詳述すると、容器４１０は、袋状の軟包材容器であり、略楕円柱状である。容器４１０は、上板４１０Ａと側板４１０Ｂと底板４１０Ｃとによって構成されている。上板４１０Ａには、容器４１０に貯蔵された液体Ｍの流出孔１１１Ａが設けられており、側板４１０Ｂ及び底板４１０Ｃには、流出孔１１１Ａが設けられていない。
【０１００】
すなわち、上板４１０Ａが、本発明の「第１壁部」に相当し、側板４１０Ｂ及び底板４１０Ｃが、本発明の「第２壁部」に相当する。
【０１０１】
また、容器４１０は、上板４１０Ａと側板４１０Ｂと底板４１０Ｃとによって、容器４１０の内部空間である貯蔵室４１３を構成している。そして、底板４１０Ｃの内壁面４１０Ｄは、流出孔１１１Ａに対向している。
【０１０２】
また、含浸体４１２は、前記液体貯蔵部１０１の含浸体１１２と異なる形状を有している。詳述すると、含浸体４１２は、Ｃ字状であり、含浸体４１２の端部１１２Ａは、流出孔１１１Ａに嵌入されている。
【０１０３】
そして、含浸体４１２は、貯蔵室４１３において流出孔１１１Ａから側板４１０Ｂ及び底板４１０Ｃまで延びて設けられている。含浸体４１２は、上板４１０Ａの一部と、側板４１０Ｂ及び底板４１０Ｃの一部とに沿って設けられている。
【０１０４】
液体貯蔵部４０１においても、貯蔵室４１３内の液体Ｍは、含浸体４１２の毛細管現象により、含浸体４１２に含浸され、流出孔１１１Ａへ吸い上げられる。そして、ポンプ１０４が動作を行っている間、流出孔１１１Ａへ吸い上げられた液体Ｍは、連結管１０７及びポンプ１０４を介して液体消費部１０９に供給される（図４参照）。
【０１０５】
ここで、含浸体４１２は、貯蔵室４１３において流出孔１１１Ａから側板４１０Ｂ及び底板４１０Ｃまで延びて設けられている。詳述すると、含浸体４１２は、上板４１０Ａの内壁面４１０Ｅの一部と側板４１０Ｂの内壁面４１０Ｆの一部と流出孔１１１Ａからの距離が最も遠い底板４１０Ｃの内壁面４１０Ｄの一部とに沿って延びている。
【０１０６】
そのため、液体貯蔵部４０１の姿勢が変化した場合でも、上板４１０Ａ、側板４１０Ｂ及び底板４１０Ｃの少なくとも１つの板の内壁面付近の液体Ｍが含浸体４１２に触れる。
【０１０７】
よって、液体貯蔵部４０１では、液体貯蔵部４０１の姿勢が変化した場合でも、上板４１０Ａ、側板４１０Ｂ及び底板４１０Ｃの少なくとも１つの板の内壁面付近の液体Ｍが含浸体４１２の毛細管現象により、含浸体４１２に含浸され、気体よりも優先的に流出孔１１１Ａへ吸い上げられる。ここで、含浸体４１２も、含浸体１１２と同様に、含浸体４１２の表面全体から液体Ｍを吸い上げることができる。
【０１０８】
従って、第４実施形態の液体貯蔵部４０１によれば、第１実施形態の液体貯蔵部１０１と同様の効果を奏する。また、液体貯蔵部４０１を備える第４実施形態の送液装置も、第１実施形態の送液装置１００と同様の効果を奏する。
【０１０９】
なお、この実施形態では、含浸体４１２が、上板４１０Ａの一部と、側板４１０Ｂ及び底板４１０Ｃの一部とに沿ってＣ字状に設けられているが、これに限るものではない。実施の際は例えば、含浸体４１２が、上板４１０Ａ、側板４１０Ｂ及び底板４１０Ｃの全てに沿って環状に設けられていてもよい。
【０１１０】
また、この実施形態では、含浸体４１２の底部４１２Ｂが、流出孔１１１Ａからの距離が最も遠い底板４１０Ｃの内壁面４１０Ｄに接していないが、これに限るものではない。実施の際は、含浸体４１２の底部４１２Ｂが底板４１０Ｃの内壁面４１０Ｄに接していてもよい。
【０１１１】
《その他の実施形態》
前記実施形態では送液装置１００を、ブドウ糖輸液を輸送する医療用途に用いているが、これに限るものではない。例えば送液装置１００を、液体燃料を輸送する燃料用途に用いてもよい。
【０１１２】
また、前記実施形態では液体としてブドウ糖輸液を用いているが、これに限るものではない。例えば当該液体が、インスリン等の他の液体であっても本送液装置に適用できる。
【０１１３】
また、前記実施形態では、液体貯蔵部１０１は送液装置１００に備えられているが、これに限るものではない。例えば、液体貯蔵部１０１は、連結管１０７に対して着脱自在に取り付けられていてもよい。
【０１１４】
また、前記実施形態のポンプ１０４は、圧電素子１４６の伸縮によってダイヤフラム１４５を屈曲振動させているが、これに限るものではない。例えば、電磁駆動でダイヤフラム１４５を屈曲振動させてもよい。
【０１１５】
また、前記実施形態の圧電素子１４６はチタン酸ジルコン酸鉛系セラミックスから構成してもよいし、例えば、ニオブ酸カリウムナトリウム系及びアルカリニオブ酸系セラミックス等の非鉛系圧電体セラミックスの圧電材料などから構成してもよい。
【０１１６】
また、前記実施形態では、直方体状の容器１１０や楕円柱状の容器３１０が用いられているが、容器の形状はこれに限るものではない。容器１１０、３１０により構成される内壁面の形状や数も、これに限るものでない。例えば、１つの曲面状の内壁面を構成する球状の容器や、２つの内壁面を構成する円錐状の容器が用いられてもよい。
【０１１７】
同様に、前記実施形態では、図３、図７〜図１０に示す形状の含浸体１１２、２１２、３１２、４１２が用いられているが、これに限るものではない。含浸体は、容器の形状に応じた形状を有していればよい。例えば、曲面状の内壁面を構成する球状の容器が用いられる場合、曲面状の内壁面において、前記容器の内部から見て外側に膨らむ壁面の全てに接する含浸体を液体貯蔵部が備えることが好ましい。
【０１１８】
また、前記実施形態では、液体の通過を阻止し、気体を通過させるものとしてフィルタ１１１Ｂが容器１１０に設けられているが、これに限るものではない。実施の際は、フィルタ１１１Ｂの代わりに弁が容器１１０に設けられていてもよい。
【０１１９】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【０１２０】
Ｍ…液体
１…供給装置
２…コンテナー
３…装置
４…管装置
６…隅部
１３…フック
１７…管
１８…先端
１９…導管
２１…滴下室
２５…導管
３０…管締付装置
３１…流路
３３…導管
１００…送液装置
１０１…液体貯蔵部
１０４…ポンプ
１０７…連結管
１０８…チューブ
１０９…液体消費部
１１０…容器
１１１Ａ…流出孔
１１１Ｂ…フィルタ
１１２…含浸体
１１３…貯蔵室
１４１…吸引孔
１４２…吐出孔
１４３…第１逆止弁
１４４…第２逆止弁
１４５…ダイヤフラム
１４６…圧電素子
１４８…ポンプ室
１４９…ポンプ筐体
２０１…液体貯蔵部
２１０…容器
２１２…含浸体３０１…液体貯蔵部
３１０…容器
３１２…含浸体
３１３…貯蔵室
４０１…液体貯蔵部
４１０…容器
４１２…含浸体
４１３…貯蔵室
【図１】
2014132712.tif 000003
【図２】
2014132712.tif 000004
【図３】
2014132712.tif 000005
【図４】
2014132712.tif 000006
【図５】
2014132712.tif 000007
【図６】
2014132712.tif 000008
【図７】
2014132712.tif 000009
【図８】
2014132712.tif 000010
【図９】
2014132712.tif 000011
【図１０】
2014132712.tif 000012
【図１１】
2014132712.tif 000013
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
孔が設けられた第１壁部と、前記第１壁部に接続し、前記第１壁部とともに貯蔵室を形成する第２壁部とを有し、前記貯蔵室に液体が貯蔵される容器と、
前記貯蔵室において前記孔から少なくとも前記第２壁部まで延びて設けられ、前記液体を含浸する含浸体と、を備え、
前記含浸体の端部は、前記孔に嵌入されている、液体貯蔵部。
【請求項２】
前記第１壁部は、前記容器内に１つの壁面を構成し、
前記第２壁部は、前記容器内に少なくとも１つの壁面を構成し、
前記含浸体は少なくとも、前記第１、第２壁部で構成される複数の壁面のうち前記孔からの距離が最も遠い壁面に接する、請求項１に記載の液体貯蔵部。
【請求項３】
前記第２壁部は、前記孔に対向する前記最も遠い壁面と、前記第１壁部によって構成される前記壁面と前記最も遠い壁面とを接続する側壁面と、を構成し、
前記含浸体は、前記第１壁部によって構成される前記壁面から延び、前記最も遠い壁面に接する、請求項２に記載の液体貯蔵部。
【請求項４】
前記貯蔵室は、多面体状であり、
前記含浸体は、前記容器内の全ての隅に接する、請求項２又は３に記載の液体貯蔵部。
【請求項５】
前記含浸体は、前記第１壁部によって構成される前記壁面の周縁と、前記最も遠い壁面の周縁とに接し、前記壁面の周縁と前記最も遠い壁面の周縁とを繋ぐ部分を有する、請求項２から４のいずれか１項に記載の液体貯蔵部。
【請求項６】
前記含浸体は、前記第１壁部の少なくとも一部と、前記第２壁部の少なくとも一部とに沿って設けられている、請求項１から５のいずれか１項に記載の液体貯蔵部。
【請求項７】
前記第１、第２壁部は、曲面状の壁面を構成し、
前記含浸体は、前記曲面状の壁面において、前記容器の内部から見て外側に膨らむ壁面の全てに接する、請求項１、２に記載の液体貯蔵部。
【請求項８】
前記容器は、前記液体の通過を阻止し、気体を通過させるフィルタを有する、請求項１から６のいずれか１項に記載の液体貯蔵部。
【請求項９】
請求項１から８のいずれか１項に記載の液体貯蔵部と、
前記液体貯蔵部の前記孔に接続され、前記液体貯蔵部に貯蔵されている前記液体を送液するポンプと、を備える送液装置。
【請求項１０】
前記ポンプは、前記孔から流出した前記液体が流入するポンプ室と、前記ポンプ室に面するダイヤフラムと、前記ダイヤフラムの一方の主面に設けられ、前記ダイヤフラムを屈曲振動させる駆動体と、を有するダイヤフラムポンプである、請求項９に記載の送液装置。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
孔が設けられた第１壁部と、前記第１壁部に接続し、前記第１壁部とともに貯蔵室を形成する第２壁部とを有し、前記貯蔵室に液体が貯蔵される軟包材容器と、
前記貯蔵室において前記孔から少なくとも前記第２壁部まで延びて設けられ、前記液体を含浸する含浸体と、を備え、
前記含浸体の端部は、前記孔に嵌入されている、液体貯蔵部。
【請求項２】
前記第１壁部は、前記軟包材容器内に１つの壁面を構成し、
前記第２壁部は、前記軟包材容器内に少なくとも１つの壁面を構成し、
前記含浸体は少なくとも、前記第１、第２壁部で構成される複数の壁面のうち前記孔からの距離が最も遠い壁面に接する、請求項１に記載の液体貯蔵部。
【請求項３】
前記第２壁部は、前記孔に対向する前記最も遠い壁面と、前記第１壁部によって構成される前記壁面と前記最も遠い壁面とを接続する側壁面と、を構成し、
前記含浸体は、前記第１壁部によって構成される前記壁面から延び、前記最も遠い壁面に接する、請求項２に記載の液体貯蔵部。
【請求項４】
前記貯蔵室は、多面体状であり、
前記含浸体は、前記軟包材容器内の全ての隅に接する、請求項２又は３に記載の液体貯蔵部。
【請求項５】
前記含浸体は、前記第１壁部によって構成される前記壁面の周縁と、前記最も遠い壁面の周縁とに接し、前記壁面の周縁と前記最も遠い壁面の周縁とを繋ぐ部分を有する、請求項２から４のいずれか１項に記載の液体貯蔵部。
【請求項６】
前記含浸体は、前記第１壁部の少なくとも一部と、前記第２壁部の少なくとも一部とに沿って設けられている、請求項１から５のいずれか１項に記載の液体貯蔵部。
【請求項７】
前記第１、第２壁部は、曲面状の壁面を構成し、
前記含浸体は、前記曲面状の壁面において、前記軟包材容器の内部から見て外側に膨らむ壁面の全てに接する、請求項１、２に記載の液体貯蔵部。
【請求項８】
請求項１から７のいずれか１項に記載の液体貯蔵部と、
前記液体貯蔵部の前記孔に接続され、前記液体貯蔵部に貯蔵されている前記液体を送液するポンプと、を備える送液装置。
【請求項９】
前記ポンプは、前記孔から流出した前記液体が流入するポンプ室と、前記ポンプ室に面するダイヤフラムと、前記ダイヤフラムの一方の主面に設けられ、前記ダイヤフラムを屈曲振動させる駆動体と、を有するダイヤフラムポンプである、請求項８に記載の送液装置。
【国際調査報告】
2014132712.tif 000014
2014132712.tif 000015
2014132712.tif 000016
2014132712.tif 000017